(57)【要約】【課題】利用会員が現在位置から一定範囲内の他の会員と電話番号を知ることなしに位置情報を確認しながら電話交信あるいは双方向通信を可能とする。【解決手段】交信サービス提供者のシステムサーバは、会員データベースと、会員の移動端末装置からの要請信号を受けて会員同士の交信に必要な処理を行う交信処理システムとを備える。移動端末装置の操作による会員からの要請信号を受けると、サービス提供者の交信処理システムは、当該会員の指定する特定エリア内にいる他の会員を現在の位置情報を記録する記録記録手段の記録情報とデータベースの識別情報に基づいて検索し、検索された会員の位置情報と必要な識別情報とを検索結果として要請信号を出力した会員に送信し、検索結果を当該会員の移動端末装置の表示部に表示させ、当該会員が上記検索結果に基づいて特定の会員を選択して一対一間もしくは複数間で交信する。【選択図】図１
2004274196.tif 000002
【特許請求の範囲】
【請求項１】
交信サービス提供者のシステムサーバと登録された会員の移動端末装置とを接続し、所定エリア内の会員相互の交信を可能とする、移動端末装置による会員相互の交信システムであって、
上記システムサーバは、会員のデータベースと、会員の移動端末装置からの要請信号を受けて会員同士の交信に必要な処理を行う交信処理システムとを備え、
上記登録会員データベースには、会員の移動端末装置の電話番号を含む識別情報が記録され、
上記交信処理システムは、
会員登録受付手段と、
登録された会員のデータベース作成手段と、
移動端末装置からの信号を利用して会員の現在位置を確認する手段と、
現在位置確認手段に基づく位置情報を記録する記録手段と、
会員からの要請信号を受信する手段と、
受信した要請信号に基づいて所定の会員を検索する検索手段と、
検索結果を送信する送信手段とを備え、
一方、上記移動端末装置は、
送受信手段と、
移動端末装置所持者の現在位置確認手段と、
上記サービス提供者の送信手段からの検索結果を表示する表示手段とを備え、
移動端末装置の操作による会員からの要請信号に基づいて、サービス提供者の交信処理システムが、当該会員の指定する特定エリア内にいる他の会員を上記記録手段の記録情報と上記データベースの識別情報に基づいて検索し、検索された会員の位置情報と必要な識別情報とを検索結果として要請信号を出力した会員に送信し、検索結果を当該会員の移動端末装置の表示部に表示させ、
当該会員が上記検索結果に基づいて特定の会員を選択して交信する、
ことを特徴とする、移動端末装置による会員相互の交信システム。
【請求項２】
請求項１記載の移動端末装置による会員相互の交信システムにおいて、
前記サービス提供者の交信処理システムは、サービスを利用する会員の移動端末装置を、他の特定会員の移動端末装置と接続する通信処理手段を有し、
移動端末装置は、表示部に表示された検索結果に基づいてサービス利用会員が特定の会員を選択し、これをサービス提供者に選択信号として出力する選択信号出力手段を有し、
サービス利用会員からの選択信号をサービス提供者が受信しときに、交信処理システムがサービス利用会員の移動端末装置を選択された特定会員の移動端末装置に接続する、
移動端末装置による会員相互の交信システム。
【請求項３】
請求項２記載の移動端末装置による会員相互の交信システムにおいて、
サービス提供者の交信処理システムは、課金手段を有し、
サービス利用会員の移動端末装置を選択された特定会員の移動端末装置に接続したときに、サービス利用会員に対して課金処理を行う、
移動端末装置による会員相互の交信システム。
【請求項４】
前記現在位置確認手段が、ＧＰＳ交信手段である、
請求項１から３のいずれかに記載のシステム。
【請求項５】
前記現在位置確認手段が、３箇所の基地局からの個別位置情報を統合、分析して現在位置を特定するものである、
請求項１から３のいずれかに記載のシステム。
【発明の詳細な説明】
【０００１】
【発明の属する技術分野】
本発明は、例えば軍や警察の集団演習あるいは災害援助などの際に、特定エリア内の移動端末装置所持者同士が、主としてＧＰＳ（Ｇｌｏｂａｌ  Ｐｏｓｉｔｉｏｎｉｎｇ  Ｓｙｓｔｅｍ）を利用して位置情報を確認しながら交信を行う、移動端末装置による会員相互の交信システムに関するものである。
【０００２】
【従来技術】
携帯電話、固定電話を含めた電話通信は、電話番号によって特定された回線を通じて行われる。したがって、特定人との交信は、相手先の電話番号を知らなければ行うことができない。
また、軍や警察などの集団演習、訓練あるいは災害援助活動のように所定の地域内で参加員が拡散して行動する場合、携帯電話などの移動端末装置の所持者は移動しながら相手と交信することができるものの、相手方の位置と自分の位置とを確認しながら交信できるようにはなっていない。
【０００３】
こうした一定エリア内での登録された移動端末所持者相互間で位置情報を確認しながら交信可能とするシステムは、これまでのところ、提案も発表もされていない。
【０００４】
【発明が解決しようとする課題】
本発明の目的は、特定された会員相互間において、利用者の現在位置から一定の範囲にいる会員を会員のＩＤ情報に基づいて位置情報を確認しながら電話交信あるいはインターネットを介しての双方向性通信（電話、ＭＳＮ、チャットなど）を可能とする、移動端末装置による会員相互の交信システムを提供することにある。
【０００５】
【課題を解決するための手段】
本発明は、上記した目的を達成するために次の構成を備える。
すなわち、本交信システムは、交信サービス提供者のシステムサーバと登録された会員の移動端末装置とを接続し、所定エリア内の会員相互の交信を可能とする、移動端末装置による会員相互の交信システムである。
そして、上記システムサーバは、会員のデータベースと、会員の移動端末装置からの要請信号を受けて会員同士の交信に必要な処理を行う交信処理システムとを備える。また、上記登録会員データベースには、会員の移動端末装置の電話番号を含む識別情報が記録される。
交信処理システムは、会員登録受付手段と、登録された会員のデータベース作成手段と、移動端末装置からの信号を利用して会員の現在位置を確認する手段と、現在位置確認手段に基づいて確認された各会員の現在の位置情報を記録する記録手段と、会員からの要請信号を受信する手段と、受信した要請信号に基づいて所定の会員を検索する検索手段と、検索結果を送信する送信手段とを備える。
一方、移動端末装置は、送受信手段と、移動端末装置所持者の現在位置確認手段と、サービス提供者の送信手段からの検索結果を表示する表示手段とを備える。
そして、移動端末装置の操作による会員からの要請信号に基づいて、サービス提供者の交信処理システムが、当該会員の指定する特定エリア内にいる他の会員を上記記録手段の記録情報と上記データベースの識別情報に基づいて検索し、検索された会員の位置情報と必要な識別情報とを検索結果として要請信号を出力した会員に送信し、検索結果を当該会員の移動端末装置の表示部に表示させ、当該会員が上記検索結果に基づいて特定の会員を選択して交信する、ものである。
【０００６】
請求項２記載の本交信システムは、上記した移動端末装置による会員相互の交信システムにおいて、前記サービス提供者の交信処理システムは、サービスを利用する会員の移動端末装置を、他の特定会員の移動端末装置と接続する通信処理手段を更に有する。また、移動端末装置は、表示部に表示された検索結果に基づいてサービス利用会員が特定の会員を選択し、これをサービス提供者に選択信号として出力する選択信号出力手段を有する。そして、サービス利用会員からの選択信号をサービス提供者が受信しときに、交信処理システムがサービス利用会員の移動端末装置を選択された特定会員の移動端末装置に接続する。
【０００７】
請求項３記載の本交信システムは、請求項２記載の移動端末装置による会員相互の交信システムにおいて、サービス提供者の交信処理システムが課金処理手段を有する。
課金処理手段は、サービス提供者が会員からサービス提供の要請信号を受けたとき及び／もしくは移動端末装置を選択された特定会員の移動端末装置に接続したときに、サービス利用会員に対して課金処理を行う。
【０００８】
サービス提供者側の会員の現在位置確認手段と移動端末所持者側の現在位置確認手段には、ＧＰＳとの交信手段が用いられる。場合によっては、３箇所の基地局からの個別位置情報を統合、分析して現在位置を特定するものであっても良い。個別位置情報は、移動端末装置がＰＨＳ（Ｐｅｒｓｏｎａｌ  Ｈａｎｄｙｐｈｏｎｅ  Ｓｙｓｔｅｍ）であれば、アンテナＩＤと基地局Ａ〜Ｃへの電界強度などの情報が利用される。
【０００９】
【実施の最良の形態】
以下、本発明を図示した実施例に基づいて詳説する。
図１は、本発明の一実施例に係るシステムの概念構成図である。
図中符号１は、サービス提供者側のシステムサーバで、会員の登録識別情報や位置情報の管理、会員との通信制御などを行う。このシステムサーバ１は、会員データベース２と交信処理システム３を有する。
【００１０】
会員データベース２は、登録会員のＩＤ番号、氏名、性別、年令、移動端末装置である例えば携帯電話の電話番号、住所、職業、所属部署（所属部隊、階級等）、顔写真、趣味や特技など、会員を識別するに必要な情報が記録される。会員データベースは、本発明システムが利用される分野によって会員の識別情報の項目テーブルが種々設定変更される。氏名や電話番号などは、会員を特定して交信を行うのに必要最低限の情報となる。
【００１１】
交信処理システム３は、送受信手段３１と、登録受付手段３２と、データベース作成手段３３と、ＧＰＳ交信手段３４と、位置情報記録手段３５と、特定エリア内にいる会員を検索する検索手段３６と、特定の会員相互の通信回線を接続する通信処理手段３７と、課金処理手段３８とを備える。
送受信手段３１は、会員Ｍとサービス提供者Ｓとの間の通信を可能とするためのもので、通信内容の秘密を確保するため、送受信されるデータは暗号化される。
受信手段は、例えば会員からのサービス要請信号あるいは会員登録信号を受信し、送信手段は、例えば要請信号に基づいて検索した検索データその他の情報を会員に送信する。
【００１２】
登録受付手段３２は、本交信システムへの参加を希望する者が、会員登録を行なうための手続を処理する手段で、登録受付け完了と同時にＩＤ番号を発行する。登録受付手段へのアクセスは、移動端末装置１００あるいは郵送手段などによって成される。
データベース作成手段３３は、登録受付け時に入手された会員の識別情報をデータベース化するための手段である。識別情報は、上記したデータベースのデータとして蓄積される種々の情報から成る。
【００１３】
ＧＰＳ交信手段３４は、ＧＰＳと交信可能な移動端末装置からの信号を利用することにより、当該会員の現在位置を、人工衛星からの信号に基づいて経度と緯度によって特定される位置情報として把握するためのものである。
記録手段３５は、ＧＰＳ交信手段３４に基づいて把握した会員の現在位置情報を書換え可能に記録する。
【００１４】
検索手段３６は、会員からの要請信号を受信したときに、会員が指定する特定エリア内に現在する会員を現在位置情報の記録手段３５に基づいて検索する手段で、その結果は送信手段を介して、要請会員の移動端末装置１００に出力される。
【００１５】
通信処理手段３７は、検索結果を受けた会員が、通話を希望する特定会員を選択し、その選択信号が受信されたとき、当該会員と特定会員とを自動的に通話可能とする。通話等接続される特定会員は、単数であると複数であるとを問わない。
また、課金手段３８は、会員がサービス提供者Ｓのサービスを行ったとき、例えば所定エリア内にいる会員の表示をしたり、あるいはサービス要請会員と選択された特定会員との交信を可能にしたときに、サービス利用会員（要請会員及び／もしくは特定会員）に対して一定の金額を課金する手段である。
【００１６】
図中符号１００、２００、３００、４００、・・・は、会員が所持する携帯電話で、これらの携帯電話は、送受信手段１０１と、ＧＰＳ交信手段１０２と、表示手段１０３と、選択手段１０４とを備える。
送受信手段１０１は、電話通信の通常の送受信手段であるアンテナと、通信内容を暗号処理化するソフトとを有する。
【００１７】
ＧＰＳ交信手段１０２は、ＧＰＳとの交信によって携帯電話所持者の現在位置を確認するための手段である。この位置情報は、上記したようにサービス提供者Ｓ側でも捕捉され、携帯電話所持者の現在位置情報として記録される。
【００１８】
表示手段１０３は、サービス提供者Ｓ側から送信される検索結果を文字情報及び／もしくは画像情報として表示する。
選択手段は、表示画面に表示された所定エリア内の会員中から通話したい特定会員及び通信方法（一対一通信、一対複数通信、チャット、ファイルや画像送信あるいはメール通信など）を選択するための手段で、この選択手段による信号は、サービス提供者Ｓの通信処理手段を動作させ、当該会員と選択された会員の携帯電話を自動接続して相互に通信可能とする。
【００１９】
本交信システムの動作を図２のフローチャートにしたがって説明する。
利用者が本交信システムのシステムサーバ１に回線を接続すると、アクセスした利用者が本交信システムの登録された会員Ｍであるかどうか確認される（ステップ１）。会員Ｍか否かの確認は、例えばＩＤ番号と携帯電話番号が一致するかどうかなどによって成される。
会員でない場合には、登録会員になるかどうかの問い合わせが行われる（ステップ２）。会員を希望する利用者に対しては登録受付手段によって登録手続きが進行され、登録を完了するとＩＤ番号が付与される（ステップ３）。登録された利用者の識別情報は、データベース作成手段を介して会員データベースに蓄積される。登録を希望しない利用者には、ログインが拒否される。
【００２０】
ログインした会員Ｍ１は、携帯電話のＧＰＳ交信手段によって取得された自分の位置情報がシステムサーバにアップロードされる（ステップ４）。この位置情報は、後に、経度及び緯度によって交信可能会員表示部１１２の自己情報として表示される。
次いで、会員Ｍ１は、確定された現在位置を中心として通信を希望する半径距離Ｒを指定する（ステップ５）。この指定された半径距離の領域が、交信処理システム３の検索手段３６による検索の対象域（例えばゾーンＡ、ゾーンＢなど）となる。
【００２１】
検索の対象域となるゾーンが指定されると、本処理システムは、ＧＰＳ交信手段３４を介して指定ゾーン内に他の会員の携帯電話が存在するか否かを探知し、いる場合には、その携帯電話の所持者をデータベース２から検索手段３６によって検索する（ステップ６）。
検索結果は、サービスを要請した会員の携帯電話に出力され、表示手段１０３を介して文字及び／図形情報として出力される。図３は、こうした検索結果を表示手段によって表示した一例を示す説明図である。図形情報にあっては、指定ゾーンを含む地図情報などが表示され、この地図の指定ゾーン内にいる通信可能な他の会員の位置がプロット表示される。また、文字情報及び図形もしくは画像情報として、これら通信可能な会員の識別情報その他が表示される。
【００２２】
図３において、最も大きな四角形を成す表示部１１１は、位置情報表示部で、会員Ｍ１を中心とする実線の円が、通信を希望する半径距離Ｒの指定ゾーンＡである。背景には、Ｍ１の現在位置の周辺マップが示される。この図では、検索の結果、指定ゾーンＡ内に他の会員Ｍ２〜Ｍｎがいることを示している。指定ゾーン内の人間の図形は、通信可能な会員Ｍ２〜Ｍ８を示し、黒丸は指定ゾーン内にはいるが交信不能な会員あるいは今回は通信可能会員としてエントリされなかった会員Ｍｎを示す。
１１２は位置情報表示部１１１に隣接して設けられた交信可能会員の表示部である。最上段には、会員Ｍ１自身の位置情報（経度と緯度）及びＩＤナンバーなどの主要識別情報が表示される。
【００２３】
１１３は、位置情報表示部１１１と交信可能会員表示部１１２の下方左に設けられた個別識別情報表示部で、交信可能な会員Ｍ２〜Ｍ８の識別情報と位置情報及び移動スピードなどが表示される。この個別識別情報は、交信可能会員表示部１１２に表示された会員Ｍ２〜Ｍ８を選択することにより、選択された会員の個別情報を表示するようにしても良いし、あるいは交信可能会員全員の個別情報を表示するようにしても良い。
【００２４】
個別識別情報表示部１１３の下方には、選択ボタン表示部１１４が設けられる。この選択ボタン表示部１１４には、会員が次に移行するステップに応じた選択ボタンが表示される。例えば、本実施例では、左から電話接続ボタン１１４ａ、チャット選択ボタン１１４ｂ、ファイルや写真の選択ボタン１１４ｃが設けられている。
【００２５】
１１５は、個別識別情報表示部１１３の右側に設けられた出力メッセージ部で、他の会員Ｍ２〜Ｍ８からのメッセージをテキスト表示する。
また、１１６は、出力メッセージ部の下方に設けた入力部分、１１７は、選択ボタン表示部１１４と入力部分との間に設けた広告部で、制御チャンネルを利用することにより必要に応じて各種の宣伝広告が表示される。
表示手段１０３における各表示部の構成及び配置は、本実施例に制限されるものではなく、本交信システムの用途などに応じて適宜の選択が可能である。
【００２６】
指定した半径距離（Ａゾーン）に他の会員が存在しない場合、サービスを要請した会員Ｍ１は、半径距離を再指定する。この場合、会員Ｍ１が移動中のときは、ゾーン指定の中心が移動することになるため、ＧＰＳ交信手段１０１によって自分の現在位置情報をシステムサーバ１にアップロードした後（ステップ４に戻った後）、通常は、同じ半径距離Ｒもしくはそれよりも大きめの半径距離を指定する。
再指定したゾーン（Ｂゾーン）内に、会員がいる場合には、上記した表示手段１０３によって交信可能な会員が表示される。そうでない場合には、上記した手順（半径距離の拡大ほか）を繰り返すことになる。
【００２７】
交信可能な会員が表示されると、会員Ｍ１は、希望する会員、例えばＭ２との交信を希望する場合には、交信可能会員表示部１１２から会員Ｍ２を指定した後、電話選択ボタンを選択する（ステップ８）。この選択信号に基づいて、本処理システムは、会員データベースから当該Ｍ２会員の電話番号を読取り、要請会員Ｍ１の電話と接続する（ステップ９）。これにより、要請会員Ｍ１は、会員Ｍ２の電話番号を知らなくとも、会員Ｍ２と会話あるいはチャットその他の手段による通信を行うことができる。
同時に、本交信システムは、回線接続を行った時点で、課金手段が動作して自動的にＭ１に対して所定の金額を課金する（ステップ９）。
【００２８】
このようにして本交信システムは、ＧＰＳ交信機能を搭載した移動端末機の所持する者が会員登録をするだけで、相手方の電話番号を知らなくとも会員相互を互いに通信可能とする。一対一の通信だけでなく、一対多数の通信連結も可能である。
なお、上記した実施例では、ＧＰＳ交信手段によって会員の現在位置確認手段としたが、本発明の現在位置確認手段は必ずしもこれに限定されるものではなく、３箇所の電波の中継基地局が受信する移動端末装置の個別位置情報を統合、分析して現在位置を特定するものであっても良い。こうした個別位置情報は、移動端末装置がＰＨＳの場合、アンテナＩＤと基地局Ａ〜Ｃへの電界強度などの情報を利用することにより、特定の位置情報として把握される。
【００２９】
【発明の効果】
本発明は、次の効果を奏する。
移動端末装置の操作による会員からの要請信号に基づいて、サービス提供者の交信処理システムが、要請会員の現在位置を基点として指定する特定エリア内にいる他の会員を検索し、検索された会員の位置情報と必要な識別情報とを検索結果として要請信号を出力した会員に送信し、検索結果を要請会員の移動端末装置の表示部に表示させ、要請会員が検索結果に基づいて単数もしくは複数の特定会員を選択することにより、当該特定会員と自動交信させるようにしたので、利用会員が、自己の現在位置から一定の範囲にいる他の会員と、識別情報に基づいて相互位置を確認しながら電話交信あるいはインターネットを介しての双方向性通信を行うことができる。特に本発明の移動端末装置として、ＧＰＳ交信機能搭載型の携帯電話を使用することにより、集団演習や災害救助活動を比較的容易にかつ効率良く行うことができるばかりでなく、他の分野でも、例えば面識のない者同士であっても一定エリア内にいる会員である限り、互いに双方向通信を楽しむことができ、この種端末装置の利用範囲を大きく広げることができる。
【図面の簡単な説明】
【図１】本発明の一実施例に係る本交信システムの概念構成図。
【図２】図１のシステムを使用状態を示すフロー図。
【図３】サービス要請会員の移動端末装置の表示手段の一例を示す説明図。
【符号の説明】
１            システムサーバ
２            会員データベース
３            交信処理システム
３１          送受信手段
３２          登録受付手段
３３          データベース作成手段
３４          ＧＰＳ交信手段
３５          記録手段
３６          検索手段
３７          通信処理手段
３８          課金処理手段
１００          携帯電話
１０１          携帯電話のＧＰＳ交信手段
１０２          携帯電話の送受信手段
１０３          表示手段
１０４          選択手段
Ｓ              サービス提供者
Ｍ              登録会員
【図１】
2004274196.tif 000003
【図２】
2004274196.tif 000004
【図３】
2004274196.tif 000005